(57)【要約】【課題】無線電話で使用できる豊富な特徴を楽しむことを可能にしつつ、操作を簡単化する。【解決手段】無線電話が所定の条件のもとで復帰するところのユーザ選択可能な各デフォルトモードで動作できる無線電話であって、プロセッサと、関連する優勢な機能を指示するための関連する表題を伴うキーを有するユーザ入力手段とを備え、上記プロセッサがキーの操作に応答して各関連する機能を各デフォルトモードで実行できるような無線電話が提供される。【選択図】図４
2007151190.tif 000002
【特許請求の範囲】
【請求項１】
無線電話が所定の条件の下で復帰するところのユーザ選択可能な少なくとも第1及び第2のデフォルトモードで動作できる無線電話において、
上記所定の条件は、上記無線電話が通話を終了することであり、
上記第２のデフォルトモードは上記第１のデフォルトモードよりも少ない数の機能をユーザに提供するものであり、
さらに上記無線電話は、
プロセッサと、キーを備えるユーザ入力手段と、前記第１及び第２のモードのうち選択されたモードにおいて、前記キーに関連せしめられる機能を表示するための機能表示とを備え、
前記プロセッサは、前記選択されたモードにおいて前記キーに関連せしめられる機能を、前記キーの操作に応答して実行するように構成される、
無線電話。
【請求項２】
無線電話が所定の条件の下で復帰するところのユーザ選択可能な少なくとも第１及び第2のデフォルトモードで動作できる無線電話において、
プロセッサと、第１のキーを備えるユーザ入力手段と、前記第１及び第２のモードのうち選択されたモードにおいて、前記第１のキーに関連せしめられる機能を表示するための機能表示とを備え、
前記プロセッサは、前記選択されたモードにおいて前記第１のキーに関連せしめられる機能を、前記第１のキーの操作に応答して実行するように構成され、
さらに前記無線電話は第２のキーを備え、前記第１のキーが押されたときに使用可能となる前記第２のキーに関連せしめられる機能が、前記第１のモードと前記第２のモードとでは異なる、
無線電話。  
【発明の詳細な説明】
【技術分野】
【０００１】
本発明は、無線電話に係り、より詳細には、優勢な関連機能を示すための関連する表題（操作説明）を伴うキーを含むユーザ入力手段と、キーの操作に応答して各関連機能を遂行するためのプロセッサとを備えた無線電話に係る。
【背景技術】
【０００２】
無線電話は、技術的な進歩に慎重なユーザにとって敬遠しがちな複雑な技術的装置となっている。無線電話の設計者の１つの問題は、基本的ユーザのニーズに適合するように電話をいかに簡単化するかである。基本的ユーザは、通常の地上回線の電話を使用するのと同様に無線電話を使用し、即ち最小の努力でコールを発したり受けたりすることを望む。これは、多くの今日の無線電話で使用できる豊富な特徴を楽しむより進歩的なユーザを疎外せずに達成する必要がある。
【０００３】
特殊な短縮ダイヤルメモリの所定の位置に記憶された電話番号を最小数のキー操作を用いてユーザがコールできるようにするスピードダイヤル機能を含む電話が既に知られている。これは、高い料金のために、通常、比較的制限された状況のもとで比較的少数の番号にコールするように電話を使用する個人的なユーザにとって有用である無線電話の簡単な操作を可能にする。
【０００４】
他の市販の無線電話は、いわゆるスーパースピードダイヤルのための多数の専用のキーを有する。これら専用のキーは、選択された番号を記憶するためにユーザがプログラムすることができ、次いで、単一のキー操作のみを用いてそれらをダイヤルすることができる。換言すれば、専用のスーパースピードダイヤルキーの１つを押すと、それに関連した予めプログラムされた電話番号へのコールを開始する。
【０００５】
スーパースピードダイヤルは、コールを開始するのに単一のキー操作しか必要としないという利点を有するが、電話キーパッド上に特殊な付加的なキーを必要とするという欠点もある。これは、キーパッドの見掛けを複雑なものにし、ユーザに馴染み難い傾向がある。又、専用キーの使用は、小さなコンパクトな電話ハンドセットに適合しない大きなキーパッド領域を必要とする。
【発明の開示】
【０００６】
本発明によれば、無線電話が所定の条件のもとで復帰するところのユーザ選択可能な各デフォルトモードで動作できる無線電話であって、プロセッサと、関連する優勢な機能を指示するための関連する表題を伴うキーを有するユーザ入力手段とを備え、上記プロセッサがキーの操作に応答して各関連する機能を各デフォルトモードで実行できるような無線電話が提供される。
【０００７】
本発明は、異なるユーザがそれらのニーズに合わせたデフォルトモードを有することができるという効果を発揮する。デフォルトモードは、各々簡単な使い方及び複雑な使い方を許す。
【０００８】
ユーザは、デフォルトモードにおいてプログラム可能なキーに関連した機能を選択できるのが好ましい。これは、メニュー環境における機能に到達するのに多数のキー操作が必要とされるために実行が困難であるいかなる特徴も単一のキー操作で行えるようにする。ユーザにより機能を選択できるので、ユーザは、自分の個人的なニーズ及び優先順位をかなえるように電話をカスタマイズすることができる。例えば、ユーザがハンドセットの動作のデフォルトモードを頻繁に変更することを望む場合には、ユーザは、プログラム可能なキーを操作してデフォルトモードメニュー設定の変更へのエントリーを選択することができる。
【０００９】
ユーザが特定のデフォルトモードの特定の機能を選択できるプログラム可能なキーを設けることにより、ユーザは、そのプログラム可能なキーを操作することによりその特定の機能が遂行されるモードに電話をセットすることができる。
【００１０】
個々のユーザに高い優先順位が与えられる機能は、多数のキー押圧を必要とせずに、又はサイズ、重量、コスト、ユーザインターフェイスにより生じる混乱した見掛け及び脅威を増大する付加的なボタンを設けることなく、アクセスすることができ、これらは、全て、無線電話の設計者が回避するために骨折っていたことである。
【００１１】
デフォルトモードとは、ハンドセットが電話の動作の他のモードから退出する際に入るモードである。デフォルトモードは、電話をパワーアップするとき及び電話コールを終了するときに適当に入るものである。
【００１２】
本発明の１つの特定の実施形態では、各デフォルトモードの少なくとも１つにおいてプログラム可能なキーに関連したユーザ選択可能な機能は、即時ダイヤル特徴である。ユーザは、プログラム可能なキーに関連させるべき電話番号（最も一般的に使用される番号が適当である）を選択することができる。この実施形態では、当該デフォルトモードが選択されたときに、プログラム可能なキーを押すことにより関連電話番号が直ちにダイヤルされる。これは、無線電話で通常使用できるより複雑な特徴のいずれも使用せずに、頻繁に使用される番号へのコールを行い得るように、電話を設定できるようにする。従って、基本的なユーザ及び進歩したユーザの両方により同じ電話を最も適した形態で使用することができる。
【００１３】
電話の簡単な動作モードを単純なやり方でオーバーライドできるようにするために、プロセッサは、そのデフォルトモードにあるときに所定の打消信号をユーザが発生することによりプログラム可能なキーに関連した機能を変更するよう動作できるのが適当である。プログラム可能なキーに関連した機能は、打消信号
【００１４】
に応答して一時的に変更されるだけである。これらの状況のもとで、プログラム可能なキーに関連した機能が、打消信号の発生に続く別のデフォルトモードにおいて定められた機能へと復帰することもできる。
【００１５】
無線電話は、プログラム可能なキーに隣接するディスプレイであって、関連する表題が表示されるディスプレイを備えているのが適当である。
【００１６】
ユーザ入力手段は、デフォルトモードの各々に対して関連する各機能を各々有する複数のプログラム可能なキーを備えている。
【発明を実施するための最良の形態】
【００１７】
本願の親出願の出願当初の明細書に記載されていた、本発明の好適な実施形態は、次の通りである。
（１）無線電話が所定の条件のもとで復帰するところのユーザ選択可能な各デフォルトモードで動作できる無線電話において、プロセッサと、関連する優勢な機能を指示するための関連する表題を伴うキーを含むユーザ入力手段とを備え、上記プロセッサがキーの操作に応答して各関連する機能を各デフォルトモードで実行するよう動作できることを特徴とする無線電話。
（２）キーに関連した機能は、各デフォルトモードの少なくとも１つについてユーザが選択できるものである（１）に記載の無線電話。
（３）上記所定の条件は、無線電話をパワーアップすることを含む（１）に記載の無線電話。
（４）上記所定の条件は、電話コールを終了することを含む（１）に記載の無線電話。
（５）上記所定の条件は、選択された動作モードから退出することを含む（１）に記載の無線電話。
（６）上記所定の機能は、キーに関連したユーザ選択した電話番号をダイヤルすることを含む（１）に記載の無線電話。
（７）上記プロセッサは、所定の打消信号をユーザが発生することによりキーに関連した機能を変更するように動作できる（１）に記載の無線電話。
（８）無線電話は、その後、選択されたデフォルトモードに復帰する請求項７に記載の無線電話。
（９）無線電話は、プログラム可能なキーに隣接するディスプレイであって、関連表題が表示されるところのディスプレイを含む（１）に記載の無線電話。
（１０）ユーザ入力手段は、デフォルトモードの各々について各関連する機能を各々有する複数のキーを含む（１）に記載の無線電話。
【００１８】
以下、添付図面を参照しつつ例示を用いて本発明を詳細に説明する。
【００１９】
図１及び２に示す本発明の実施形態による無線電話は、無線電話の電子回路の実質的に全体を包囲するハウジング１を含む。無線電話は、アンテナ２と、トランシーバ３と、ベースステーション（図２）との通信チャンネルを選択するように動作するアルゴリズムでプログラムされた処理手段４とを有する。液晶ディスプレイ５（ＬＣＤ）には情報が表示される。
【００２０】
ハウジングに含まれるのは、キーパッド９であり、これは、通常そうであるように３列及び４行のアレーに配列された０−９、＊及び＃と示された第１グループのキー即ちボタン１０を含む。数字０、１、・・・９と、キャラクタ＊及び＃は、電話番号をダイヤルするためのものであるが、アルファニューメリックデータを電話番号記憶装置に入力するのに使用することもできる。種々の機能を選択するための第２グループの制御キー即ちボタンは、コール開始キー１１（例えば「ＳＥＮＤ」と示された）と、コール終了キー１２（例えば「ＥＮＤ」と示された）と、スクロールキー１３と、無線電話の動作状態に基づいて異なる関連機能を有する第１ソフトキー１４及び第２ソフトキー１５と、クリアキー１６と、第１グループのキーからの入力を数字キーとアルファニューメリックキーとの間でトグルするアルファニューメリックキー１７とを含む。説明上、「キー」という用語は、マイクロプロセッサ４への入力、好ましくはユーザからの入力を与えるためのキー、ボタン、又は同様の素子を意味するものとする。ディスプレイパネルＬＣＤ５は、ハウジング１において２つのキーグループの上に配置される。ディスプレイ５の上には一連の穴８が配置され、その後方には、無線電話のユーザにスピーチ又は他の音声を伝達するためのイヤホン１９又はスピーカがある。ハウジング１は、その下端に穴２０も有し、その後方には、マイクロホン２１（図２）が取り付けられる。電源は、電源キー２２により制御される。
【００２１】
ハンドセットのユーザインターフェイスが図３に詳細に示されている。可視ディスプレイは、液晶ディスプレイ５より成り、これは、ユーザにテキストを表示する領域２５と、信号強度を指示する信号強度サイドバー２６と、バッテリ容量を指示するバッテリ容量サイドバー２７と、ソフトキー１４、１５に隣接配置されて、関連ソフトキーの優勢な機能を指示する表題（操作説明（legend））を表示するための第１及び第２領域２８、２９とを有する。
【００２２】
通常の動作モードにおいて、ソフトキー１４、１５は、種々の予め設定されたメニューにアクセスするのに使用できる。このモードにおいて、キーの一方は、ＬＣＤ５の第１領域２８においてそのキーの上に表示される表題「ＭＥＮＵ」を有する。領域２９には表題「ＭＥＭＯＲＹ」が表示される。このキーを押すと、メモリに記憶された電話番号を名前又は数字で呼び出すことができる。表題「ＭＥＮＵ」を伴うこのソフトキー１６を押圧し即ち操作すると、種々の予め設定されたメニュー（その関連する命令がメモリに記憶された）を、所望のメニューに達するまで一方向に適当な回数スクロールキー１３を押すことにより見ることができる。ユーザがメニューのリストをスクロールするときには、左側のソフトキー１４の上の表題が「選択」に切り換わる。この表題を伴うソフトキー１４を操作すると、表示されたメニューを選択的にイネーブルすることができる。当該サブメニューが選択されると、ユーザは、スクロールキー１３を使用して各メニュー項目を順次に見るように促される。左右のソフトキー１４、１５の表題は、次いで、各々「選択」及び「クイット」となり、ユーザは、特定のメニュー項目を選択するか、又は必要に応じて手前のスクリーンに復帰することができる。これは、通常の動作モードにおいてソフトキーを使用できる１つの方法である。
【００２３】
本発明のこの実施形態の無線電話は、「アイドル」状態を有する。これは、パワーアップ時に無線電話がとる状態であり、コールが終了するか又は他の動作が完了したために使用中でないときにこれに復帰する。
【００２４】
アイドル状態におけるソフトキーの機能は、アイドル状態に採用された動作モード、即ちデフォルトモードにより指令される。例えば、簡易操作（EASY OPERATION）モードと称する第２の動作モードにおいては、ソフトキーがスピードダイヤルキーとして機能するように構成される。このモードにおいてソフトキーに関連した表題は、ユーザがダイヤルしようとする電話番号、例えば、「ピーター」
【００２５】
及び「ジャック」を指示する。ソフトキーの一方を押圧し即ち操作すると、そのソフトキーに関連した電話番号がダイヤルされる。ユーザは、キーを押す以外何も行う必要がなく、コールが発せられる。通常そうであるように電話番号をダイヤルした後にＳＥＮＤキーを押す必要すらない。
【００２６】
本発明のこの実施形態のアイドル状態において考えられる２つの動作モードを参照してハンドセットの動作を以下に説明する。これらは、アイドル状態にあるときに２つのソフトキーが各々メニューを選択しそして無線電話のメモリをアクセスするという機能を実行する「通常」モードと、アイドル状態において２つのソフトキーがユーザにより選択された各番号をスピードダイヤルするという機能を実行する「簡易操作」モードである。この「簡易操作」モードにおいては、ソフトキーの上の表題をユーザによりプログラムし、どの番号がソフトキーに関連しているかユーザが想起するのを促進するようにキーが押されたときにダイヤルされるべき番号を表示できるようにする。ソフトキーそれ自体は、ダイヤルされるべき番号でプログラムすることができる。
【００２７】
ユーザは、メニューから「簡易操作」モードに入ることができる。ソフトキーがプログラムされていないときに「簡易操作」モードが選択された場合には、ユーザは、スピードダイヤル番号でソフトキーをプログラムするよう促される（図７）。又、各ソフトキーに関連した電話番号は、メニューを介してプログラムすることもできる。
【００２８】
図４は、パワーアップの際にアイドル状態に入る無線電話の動作を示すフローチャートである。ハンドセットがパワーアップすると（４０）、直ちにアイドル状態に入る（４１）。マイクロプロセッサは、ハンドセットが「通常」モードで動作しているかどうかチェックする（４２）。もしそうであれば、「通常」モードにおいてソフトキーに関連した表題がＬＣＤ５において第１及び第２の領域２８、２９に表示される（４３）。ここに示す例では、これら表題は、各々「ＭＥＮＵ」及び「ＭＥＭＯＲＹ」である。
【００２９】
ハンドセットが「通常」モードにないことが決定されると（４２）、この実施形態では２つの動作モードしかないので、ハンドセットは「簡易操作」モードにあると決定される（４４）。マイクロプロセッサ４は、次いで、第１のソフトキーがプログラムされているかどうかをチェックする（４５）。もしそうでなければ、ＬＣＤにデフォルト表題が表示され（４６）、第１のソフトキーを押圧しても何の機能も実行されない。第１のソフトキーがスピードダイヤル番号を保持するようにプログラムされている場合には、マイクロプロセッサは、表題がプログラムされているかどうかチェックする（４７）。もしそうであれば、それに関連した表題がＬＣＤディスプレイの第１領域に表示される（４８）。もしそうでなければ、デフォルト表題が表示される（４６）。第１のソフトキーを押圧すると、もし適当にプログラムされていれば、いずれの場合にも番号が直接ダイヤルされることになる。又、表題が入力されている場合には、第１のソフトキーを押した場合にそれがどの電話番号をダイヤルするかユーザに明らかとなる。デフォルト表題は、スピードダイヤル番号、より詳細には、第１のソフトキーを押すことによりダイヤルされるべき番号を識別するのに使用される手前の表題に、何の名前も関連していないことを示す標準的なキャラクタストリングである。簡易操作モードにある場合に第１又は第２のソフトキーがプログラムされていなければ、ユーザは、各ソフトキーが押されたときに電話番号及び表題を入力するように促される。この電話番号は記憶され、そして簡易操作モードに対して想起される。
【００３０】
第２のソフトキーについても同じプロセスが生じる。マイクロプロセッサは、第２のソフトキーがプログラムされたかどうかチェックする（４９）。もしそうであれば、表題がプログラムされたかどうか（５０）及び第２のソフトキーに関連した表題を表示するかどうか（５１）もチェックする。もしそうでなければ、デフォルト表題が表示される（４６）。このように、ＬＣＤ５は、パワーアップ時に無線電話のアイドル状態において選択されたデフォルトモードに対して適切に構成される。
【００３１】
図５、６及び７は、各モードにおける無線電話の動作を示す。図５から始めると、無線電話がアイドル状態にあるときに（６０）、ディスプレイは動作モードを反映する。選択されたデフォルトモードが「通常」の場合には、この例では第１ソフトキーの上の表題が「ＭＥＮＵ」となり、そして第２ソフトキーの上の表題が「ＭＥＭＯＲＹ」となる。現在のデフォルトモードが「通常」であると決定された場合には（６１）、第１のソフトキーが押圧された場合に（６２）、ハンドセットは、メニューモードに入る（６３）。このモードでは、上記で簡単に述べたように、ユーザは、使用可能な機能をスクロールし、そして電話の動作状態を変更することができる。メモリモードにおいてユーザが実行できる１つの機能は、アイドル状態での動作モードを変更することである。ユーザは、通常又は簡易操作の選択が見つかるまで使用可能な選択肢を経てスクロールすることができる。選択肢の間をスクロールし、そして適当なモードが強調されたときに表題「選択」を伴うソフトキーを押すことにより、ユーザは、もし必要ならば、アイドル動作モードを変更することができる。ユーザが所望のメニュー機能を完了すると（６４）、ハンドセットは、アイドル状態へ復帰する（６０）。次いで、プロセッサは、ハンドセットが依然「通常」モードにあるかどうかを決定し（６４）そしてプロセスが続けられる。
【００３２】
図７は、アイドル状態において動作モードを変更するプロセスを更に詳細に示す。実行することのできるメニューモード動作の１つは、アイドル状態において無線電話の動作状態を変更することである。メニューモードに入ると（６３）、プロセッサは、アイドル状態機能の動作モードが選択されたかどうかを決定する（９０）。もしそうであれば、「通常」モードフラグがもう一度チェックされる（９１）。
【００３３】
次いで、ユーザは、スクロールキーを押すことにより「通常」モード及び「簡易操作」モードの選択間をトグルすることができる。所望の動作モードは、「選択」と適切に表示されたソフトキーを押すことにより選択できる。表題「クイット」を伴うソフトキーが押された場合には（９２、９３）、優勢なモードが選択されたままとなる。選択が動作モードの変更を含む場合（９４、９５）、即ちユーザが「通常」モードから「簡易操作」モードへ変更すると決定した場合には、「通常」モードフラグがリセットされる（９６）。これが動作モードの変更を含まない場合、即ちユーザが「通常」モードに留まると決定した場合には、フラグはリセットされない。いずれにせよ、無線電話は、何らかの動作が完了するまで（６４、図５）メニューモードに留まり、完了の時点でアイドル状態に復帰する（６０）。
【００３４】
「通常」フラグがブロック９１においてセットされない場合、即ちハンドセットが「簡易操作」モードにある場合には、同じプロセスが行われる。マイクロプロセッサは、ユーザが新たな動作モードを選択したかどうか決定する（９５）。
【００３５】
もしそうであれば、「通常」モードフラグがセットされる（９７）。もしそうでなければ、ハンドセットは、いずれかのメニュー機能が完了するまで（６４、図５）メニューモードに留まり、そしてハンドセットは、アイドル状態に復帰する（６０）。
【００３６】
「簡易操作」モードが選択され（９４）、そして「簡易操作」モードの選択の際に関連する電話番号がない（９８）場合には、ユーザは、左側のソフトキーのラベル（９９、１００）及びその関連電話番号（１０１、１０２）を入力し、次いで、右側のソフトキーに対するラベル及び関連電話番号（９９、１００、１０１、１０２）を入力するように促される。
【００３７】
各ソフトキーを順にプログラムする場合に、スクリーンは、「名前」の入力を促し（９９）、そして左右のソフトキーは、各表題「ＯＫ」及び「クイット」を有する。ユーザは、ソフトキーの上に現れることを望む名前を入力し、そしてそれが正しいときにＯＫを押す（１０４）。次いで、スクリーンは、「番号」の入力を促し（１０１）、ユーザは、コールされるべき電話番号を入力し、そしてそれが正しいときに再びＯＫを押す（１０２）。ユーザがいずれかの段階で「クイット」を選択した場合には（９２、９３、１０４、１０５）、「簡易操作」モード設定に対して何の変更もなされない。
【００３８】
ユーザが、「簡易操作」モードにおいてソフトキーに関連した名前及び番号を変更したい場合には、機能「簡易操作モードの設定」をメニューから選択する。
【００３９】
スクリーンは、上記したように、「名前」及び「番号」を順次に促すが、「簡易操作」モードにおいて各ソフトキーに現在関連している名前及び番号が順次に表示され、従って、変更を行わずにＯＫボタンを押した場合には、何も変更されない。しかしながら、ユーザは、表示された名前及び番号を変更し、そして「簡易操作」モードにおいて記憶及び想起されるべき新たなデータとしてＯＫを押すことができる。
【００４０】
「簡易操作」モードから「通常」モードへ変更するために、ユーザは、クリアキーを押す。これは、ソフトキーの上の表題を関連する機能と共に各々「メニュー」及び「メモリ」に復帰させ、そしてユーザは、「デフォルトモード」メニューを選択するようにメニューを入力しそして「簡易操作」モードと「通常」モードとの間をトグルして「通常」を指示させ、そして表題「選択」のもとでソフトキーを押してデフォルト動作モードを「通常」へ変更することにより、モードを変更することができる。
【００４１】
図５に戻ると、ハンドセットが「通常」モードに保持されそして第１のソフトキー１４が押されない場合に（６２）、プロセッサは、第２のソフトキー１５が押されたかどうか決定する（６５）。もしそうであれば、ハンドセットは「メモリ」モードに入り（６６）、そしてユーザは、メモリ機能を実行することができる。これらが完了すると（６７）、ハンドセットは、アイドル状態に復帰し（６１）、そしてプロセッサは、動作モードを決定する（６１）。この例では、ハンドセットは、メモリモードにおいてアイドル状態モードを変更することができないので、「通常」モードに留まる。メモリモードでは、使用できるメモリ位置に番号を記憶し及び／又は修正することができる。
【００４２】
第１ソフトキーも第２ソフトキーも操作されない場合には、プロセッサは、コールがなされるかどうかチェックする（６８）。もしそうでなければ、プロセスは、第１及び第２キーと、キーパッドの他のキーを、ハンドセットが再び使用されるまでポーリングし続ける。プロセッサがコールがなされたと決定すると（６８）、コールが終了するまでコールが監視される（６９）。コールが終了すると（６９）、ハンドセットは、アイドル状態に復帰し（６０）、そしてプロセスが続けられる。
【００４３】
図６を参照し、「簡易操作」モードの動作について説明する。ハンドセットが「通常」モードにない場合には（６１、図５）、それが「簡易操作」モードにあると決定される（７０）。というのは、この特定の実施形態では、アイドル状態において２つの考えられる動作モードしかないからである。「簡易操作」モードにおいて（７０）、第１ソフトキー１４が押された場合には（７１）、プロセッサ４は、ソフトキーに関連した電話番号があるかどうかチェックする（７２）。
【００４４】
もしそうであれば、その番号がダイヤルされる（７３）。プロセッサ４は、コールが接続されたかどうか決定するようにチェックする（７４）。もしそうでなければ、例えば３０秒といった適当な時間が経過した後に（７５）、無線電話は、アイドル状態に復帰する（６０）。コールが接続された場合には（７４）、マイクロプロセッサ４は、コールを監視して、それが終了したかどうか決定する（７６）。コールが終了すると、無線電話は再びアイドル状態に復帰する（６０）。
【００４５】
第１のソフトキーが押される（７１）のではなく、第２のソフトキーが押された（７７）場合にも、同じステップがとられる。その相違は、別の指定の番号がダイヤルされることである（７３）。いずれのソフトキーも押されない場合は、プロセッサは、クリアキー１６が操作されたかどうかをチェックする（７８）。
【００４６】
クリアキー１６は、この実施形態では、アイドル状態において、「簡易操作」モードから「通常」動作モードへと動作モードを一時的に変更するために使用される。或いは又、これは、「通常」モードにおけるソフトキーに関連した機能を模擬するように、「簡易操作」モードにおけるソフトキーに関連した機能を一時的に変更するものとして考えることもできる。
【００４７】
クリアキー１６を押すことにより「通常」動作モードに一時的に入ったときには、「通常」モードにおいてソフトキー１４、１５に関連する表題が各キーの上の第１及び第２領域２８、２９に表示される（７９）。これらの表題は、ソフトキーに現在関連した機能を指示する。アイドル状態における動作モードはこの点では変更されない。この段階でメニュー又はメモリキーを操作することにより、ハンドセットは、あたかも「通常」モードにあるかのように動作するが、ハンドセットが次にアイドル状態に入るときには（６１）、ハンドセットは、「通常」
【００４８】
モードフラグがセットされていない（６１）ので、依然「簡易操作」モードにあることになる。
【００４９】
クリアキー１６が押されていない場合には、プロセッサは、コールがなされたかどうか決定する（８０）。もしなされない場合には、キーパッドは、ユーザにより操作がなされるまでポーリングされ続ける（７１、７７、７８、８０）。コールがなされた場合には（８０）、プロセッサは、そのコールを監視し、そしてそれが終了したときに（６９、図５）、無線電話はアイドル状態に復帰する。
【００５０】
本発明の他の実施形態では、クリアキー１６の連続的な操作を使用して、ハンドセットが、ＬＣＤ上で「簡易操作」モードの表題の表示と「通常」モードの表題の表示との間をトグルさせると共に、ソフトキー１４、１５の機能を対応的に変更できるようにする。本発明の更に別の実施形態では、「通常」モードフラグは、クリアキー１６を押してアイドル状態のモードを変更するときにセットすることができ、このモードの変更は、永久的に、即ちメニューモードに入ることによりモードを変更するようにユーザが選択するまで、又はおそらく半永久的に、例えばハンドセットがパワーダウンされる次のときまで行われる。
【００５１】
ここに示す実施形態では、ハンドセットがアイドル状態において採用できる動作状態は２つしかなく、即ち「通常」及び「簡易操作」しかない。本発明の他の実施形態では、アイドル状態に使用できるモードが３つ以上あってもよい。この場合に、ソフトキーの機能は、優勢なモード即ち現在モードが３つ以上のモードのどれであるかに依存する。
【００５２】
アイドル状態におけるソフトキーの機能は、「メニュー」、「メモリ」或いは「スピードダイヤル」に限定されない。ソフトキーは、本発明の他の実施形態では、ハンドセットに使用できる機能のいずれかを採用するようにプログラムすることができる。これらは、特定のユーザが主として使用する機能であり、そして特定のニーズに適するようにユーザによりプログラムできるのが適当である。例えば、ユーザは、仕事場にいるときはハンドセットを特定の形態でそして家庭では別の形態で動作することを望む。
【００５３】
図８ａ及び８ｂに示す１つの実施形態では、ユーザには、デフォルトモード選択機能において多くの自由度が与えられる。デフォルトモードが予め選択されるのではなく、ユーザは、ある範囲のデフォルトモードにおいてソフトキーに対して自分自身の機能を定義することができる。電話は、予め定義された「簡易操作」モード及び「通常」モードを有するが、使用可能なデフォルトモードのリストに追加できると共に、その追加された各新たなモードにおいてソフトキーの機能を特定することができる。
【００５４】
この例では、ユーザは、左右のソフトキーの上で、「デフォルトモード」メニュー１５０、表題「リスト」１５７及び「クイット」１５２を各々選択する。
【００５５】
「リスト」オプションが選択された場合には、リストメニューが示され、使用可能なモードが、各ソフトキーに指定されたオプション「選択」及び「変更」と共に表示される。使用可能なものからモードを選択するために、ユーザは、リストをスクロールし、所望のデフォルトモード１５３を指示する。選択のソフトキーが押されると（１６２）、電話はメインメニューに復帰し（１５４）、そしてもう一度アイドル状態になったときに（１６３）、その選択されたデフォルトモードに入る。
【００５６】
新たなデフォルトモードを追加するか、或いは既存のデフォルトモードを削除又は変更するために、ユーザは、リストメニューがスクリーンに表示されたときに表題「変更」１５５を伴うソフトキーを押す。次いで、スクリーンは、ある範囲のオプションを表示し、そして表題「選択」及び「クイット」が各ソフトキーの上に現れる。「クイット」１５６を押すと、ユーザは、選択されたデフォルトモードを何ら変更することなくデファールトモードのリストに復帰する。
【００５７】
使用可能なオプションは、「加算」１５７、「削除」１５８、「編集」１５９、「最上部への移動」１６０及び「最下部への移動」１６１を含む。削除及び移動のオプションは、リストスクリーン上に現在指示されているデフォルトモードに関連している。
【００５８】
デフォルトモードを追加するために、ユーザは「追力」ソフトキー１５７を押す。「メニユー機能」１６５、「メモリ」１６６及び「メモリ位置」１６７を含むある範囲のオプションを示す別のメニューが表示され、そしてソフトキーの上の表題は「選択」及び「クイット」である。「クイット」１６８は、ユーザを使用可能なデフォルトモードのリストに復帰させる。「選択」は、ユーザが、表示されたオプションの１つを選択できるようにする。この実施形態では、２つのプログラム可能なソフトキーがある。新たなデフォルトモードが形成されるときには、左側のソフトキーが最初に指定される。
【００５９】
オプション「メニュー機能」が選択された場合には、ユーザは、メニューを経て使用できる全ての機能にアクセスできる。これらは、メニユー機能を選択するためにメニューがアクセスされたときと同様にメニユー構造体を通してアクセスできるが、表題各々「選択」及び「クイット」に代わって、ソフトキーは、表題「加算」１６９及び「クイット」１７０を有する。
【００６０】
「加算」キー１６９を押すことにより、新たなデフォルトモードにおいて左のソフトキーに機能が指定される。ディスプレイは、ユーザにラベルを入力するよう促し（１７３）、そしてユーザは、名前を追加することができ、これは、新たなデフォルトモードにおいて左のソフトキーの上に表示される。ソフトキーは、表題「ＯＫ」１７１及び「クイット」１７２を有する。「ＯＫ」キーを押すと、使用可能なオプションが再び表示され、右のソフトキーの機能を指定することができる。右側のキーに対する機能及びラベルを選択するために同じプロセスが繰り返される。
【００６１】
各ソフトキーに指定される機能は、メニュー機能であってもよいしメモリ機能であってもよい。メニユー機能に代わって、ユーザが「メモリ機能」をソフトキーにもたせようとする場合には、前記実施形態における「通常」モードの使用の場合のように、リストから「メモリ」１６６が選択され、そして表題「ＯＫ」を伴うソフトキーが押される。現在プログラムされているソフトキーには、メモリ機能が自動的に指定され、前記実施形態の「通常」モードの場合と同様に、表題「メモリ」を有する。
【００６２】
又、特定のメモリ位置の内容をソフトキーに指定することもでき、従って、アイドル状態においてソフトキーを押したときには、そのメモリ位置に保持された電話番号がダイヤルされると共に、その番号に関連した名前がソフトキーの上の表題となる。これを行うために、ユーザは、メモリ位置を強調して「ＯＫ」を押す（１７４）ことによりオプションのリストから「メモリ位置」を選択する（１６７）。スクリーンは、メモリ位置及び／又は名前を入力するようにユーザに促す。メモリ位置又は名前が入力されそして「ＯＫ」ソフトキーが押されると、そのメモリ位置に保持された電話番号又はデータと名前がソフトキーに指定され、従って、記憶された名前は新たなデフォルトモードにおいてソフトキーの上の表題となり、そして新たなデフォルトモードにおいてその表題をもつソフトキーを押したときには、それに関連した電話番号がコールされる。他の実施形態では、メモリ位置は、名前又は番号によりスクリーン上にリストとして表示することができ、そしてリストの１つを指示して「ＯＫ」ボタンを押すことにより選択することができる。
【００６３】
新たなデフォルトモードに対してソフトキーに機能及びラベルが指定されると、ユーザは、新たなデフォルトモードに対する名前を入力するように促される（１８０）。ソフトキーは、ＯＫ及びクイットを表示する。ユーザが新たなデフォルトモードに対するラベルを入力し、そして「ＯＫ」ソフトキーを押した場合には、スクリーンはデフォルトモードメニュースクリーンのリストに復帰する。このときは、新たなデフォルトモードに対するラベルがリストの最下部に含まれる。新たなデフォルトモードに対しラベルに名前が入力されない場合には、ＯＫキーが押されたときに、新たなデフォルトモードにデフォルト名又は番号が与えられる。これは、デフォルトモードリストに現れる。
【００６４】
１つの実施形態では、特定のデフォルトモードにおいてソフトキーに機能が指定されない場合に、そのデフォルトモードにおいてその機能キーを押しても何の機能も実行されない。しかしながら、他の実施形態では、何も指定されない場合にデフォルトモードにおいてキーの機能を特定するための別のオプションが考えられる。例えば、左側のソフトキーについてはメニューのデフォルト機能をそして右側のソフトキーについてはメモリのデフォルト機能を与えることができる。
【００６５】
ユーザが定義したデフォルトモードにおいてソフトキーの一方又は両方に関連した機能及び／又は表題は、「変更」メニューから編集オプションを選択することにより編集することができる。左右のソフトキーに関連した機能及び／又は表題は、表題「ＯＫ」をもつ左のソフトキーを押すことにより順次に表示され、他方のソフトキーは、表題「編集」を有する。「編集」ソフトキーを押すと、スクリーンは、アイドル状態においてソフトキーについて使用できるオプションを表示する。スクリーンの表示は、追加のデフォルトモードオプションが選択されたときに表示されるオプションスクリーンと同じになる。新たな機能は、新たなデフォルトモードに対してそれらが選択されるのと同様に各ソフトキーに指定することができる。しかしながら、特定の機能又はラベルを編集することなく「ＯＫ」が押された場合には、ソフトキーの元の機能が保存される。
【００６６】
本発明は、請求項に記載の発明に関するものであるか上記問題のいずれか又は全てを軽減するものであるかに関わりなく、ここに明確に開示する新規な特徴又は特徴の組合せ或いはその一般性を包含する。
【００６７】
以上の説明から、本発明の範囲内で種々の変更がなされ得ることが当業者に明らかであろう。
【図面の簡単な説明】
【００６８】
【図１】本発明の実施形態に基づく無線ハンドセットの前面図である。
【図２】図１の無線ハンドセットの概略図である。
【図３】図１及び２の無線ハンドセットの液晶ディスプレイの概略図である。
【図４】図１及び２の無線ハンドセットの動作を示すフローチャートである。
【図５】図１及び２の無線ハンドセットの動作を示すフローチャートである。
【図６】図１及び２の無線ハンドセットの動作を示すフローチャートである。
【図７】図１及び２の無線電話の動作を示すフローチャートである。
【図８ａ】本発明の別の実施形態の動作のフローチャートである。
【図８ｂ】本発明の別の実施形態の動作のフローチャートである。
【符号の説明】
【００６９】
１    ハウジング
２    アンテナ
３    トランシーバ
４    マイクロプロセッサ
５    液晶ディスプレイ
９    キーパッド
１１    コール開始キー
１２    コール終了キー
１３    スクロールキー
１４    ソフトキー
１５    ソフトキー
１７    アルファニューメリックキー
１９    イヤホン
２１    マイクロホン
２２    電源キー
２６    信号強度サイドバー
２７    バッテリ容量サイドバー
【図１】
2007151190.tif 000003
【図２】
2007151190.tif 000004
【図３】
2007151190.tif 000005
【図４】
2007151190.tif 000006
【図５】
2007151190.tif 000007
【図６】
2007151190.tif 000008
【図７（１）】
2007151190.tif 000009
【図７（２）】
2007151190.tif 000010
【図８ａ（１）】
2007151190.tif 000011
【図８ａ（２）】
2007151190.tif 000012
【図８ｂ（１）】
2007151190.tif 000013
【図８ｂ（２）】
2007151190.tif 000014
【図８ｂ（３）】
2007151190.tif 000015
【図８ｂ（４）】
2007151190.tif 000016